(57)【特許請求の範囲】
【請求項１】
入力装置の軸方向端部に形成された凹部によって前記入力装置の軸方向に進退可能に支持された可動部と、前記可動部を押圧して内奥部に変位させた時に当該接触位置の接触検知信号を送信する送信手段と、を有する入力装置であって、
該入力装置は、前記可動部が前記軸方向に沿って押圧された時には前記可動部を軸方向に沿って前記内奥部へ変位させ、前記軸方向に対して傾斜した方向へ押圧された時には前記可動部を当該傾斜した方向に沿って前記内奥部へ変位させるように構成されており、
前記凹部内に配置された可動切片を有し、前記可動切片の動きを検知して検知信号を出力する検知スイッチと、
前記可動部と前記可動切片との間に介在し、前記可動部が受けた押圧力を前記可動切片に伝達すると共に、前記可動部と接触する端面の形状が前記可動部の基端面よりも大きい板状ゴムと、をさらに備え、
前記送信手段は、前記接触検知信号を前記検知信号に基づいて送信し、
前記可動部は、先端に向けて外径が漸減する傾斜外面と、前記凹部の内壁が前記傾斜外面と接触する部位には、前記先端に向けて内径が漸減する傾斜内面と、を有し、前記可動部の前記傾斜外面が前記凹部の前記傾斜内面と摺動することで前記可動部が軸方向に対して傾斜した方向に進退することを特徴とする入力装置。
【請求項２】
前記可動部は、前記傾斜外面を有する先部と、柱状の基部とを備え、
前記凹部から進出した位置にある前記可動部の前記基部の外周面と前記傾斜内面との間には、前記傾斜した方向に沿って前記内奥部へ変位した前記可動部を受け容れる空間が形成されていることを特徴とする請求項１に記載の入力装置。
【請求項３】
前記可動部の軸周り回転を阻止する回転阻止手段を備えたことを特徴とする請求項１又は２に記載の入力装置。
【請求項４】
前記可動部は角錐形状であり、前記凹部は前記可動部の外面形状に係合する形状を有することを特徴とする請求項１又は２に記載の入力装置。
【請求項５】
請求項１乃至４の何れか一項に記載の入力装置が接触する表示面を有するディスプレイ部と、
前記入力装置が前記表示面に接触したときの座標を検知する座標検知手段と、
前記座標検知手段により検知された座標位置に前記入力装置の接触に基づく画像を前記ディスプレイ部に表示させるコントローラと、を備えたことを特徴とする電子情報ボードシステム。
【発明の詳細な説明】
【技術分野】
【０００１】
本発明は、入力装置、及び電子情報ボードシステムに関する。
【背景技術】
【０００２】
描画装置としての入力装置と、入力装置による文字や図形などの書き込み対象となると共に入力装置から入力された画像等を表示する表示部とを備えた電子情報ボードシステムが知られている。入力装置によって描画した画像を表示部に表示させるには、入力装置と画像表示部との接触を検知する必要がある。
特許文献１には、軸方向に進退可能なペン先部材と、ペン先部材が後退したときに押圧される押圧スイッチとを備えた入力装置が記載されている。ペン先部材が表示部に接触して押圧スイッチが押圧されたときに、ペン先部材と表示部との接触が検知される。
【発明の概要】
【発明が解決しようとする課題】
【０００３】
しかし、従来の押圧スイッチを備えた入力装置においては、入力装置を表示面に対して傾斜させた状態にて画像等を描画した場合に、入力装置の表示面に対する押圧方向とペン先部材の移動方向とが一致しないという問題がある。このため、ペン先部材が滑らかに後退せず、押圧スイッチが押圧されずに接触を検知できない場合があった。
本発明は上述の事情に鑑みてなされたものであり、入力装置を表示面に対して傾斜させた状態にて画像等を描画した場合であっても、表示面との接触を検知可能な入力装置を提供することを目的とする。
【課題を解決するための手段】
【０００４】
上記の課題を解決するために、請求項１に記載の発明は、入力装置の軸方向端部に形成された凹部によって前記入力装置の軸方向に進退可能に支持された可動部と、前記可動部を押圧して内奥部に変位させた時に当該接触位置の接触検知信号を送信する送信手段と、を有する入力装置であって、該入力装置は、前記可動部が前記軸方向に沿って押圧された時には前記可動部を軸方向に沿って前記内奥部へ変位させ、前記軸方向に対して傾斜した方向へ押圧された時には前記可動部を当該傾斜した方向に沿って前記内奥部へ変位させるように構成されており、前記凹部内に配置された可動切片を有し、前記可動切片の動きを検知して検知信号を出力する検知スイッチと、前記可動部と前記可動切片との間に介在し、前記可動部が受けた押圧力を前記可動切片に伝達すると共に、前記可動部と接触する端面の形状が前記可動部の基端面よりも大きい板状ゴムと、をさらに備え、前記送信手段は、前記接触検知信号を前記検知信号に基づいて送信し、前記可動部は、先端に向けて外径が漸減する傾斜外面と、前記凹部の内壁が前記傾斜外面と接触する部位には、前記先端に向けて内径が漸減する傾斜内面と、を有し、前記可動部の前記傾斜外面が前記凹部の前記傾斜内面と摺動することで前記可動部が軸方向に対して傾斜した方向に進退することを特徴とする。
【発明の効果】
【０００５】
本発明によれば、可動部が本体の軸方向に対して傾斜した方向へ押圧された時には可動部を当該傾斜した方向に沿って内奥部へ変位させるように凹部及び可動部が構成されているので、入力装置を表示面に対して傾斜させた状態にて画像等を描画した場合であっても、表示面との接触を検知可能となる。
【図面の簡単な説明】
【０００６】
【図１】本発明による入力装置の一実施形態が適用される電子情報ボードシステムを示す斜視図である。
【図２】入力装置の一般的な実施形態を示す縦断面図である。
【図３】電子情報ボードシステムの主要部を模式的に示す図である。
【図４】電子情報ボードの制御系を示すブロック図である。
【図５】電子情報ボードのコントローラの構成を示すブロック図である。
【図６】座標位置を検知するタッチパネルの構成を示す図である。
【図７】図２に示す入力装置の筆記ユニットを表示面に接触させた場合を示す模式図である。
【図８】本発明の第一の実施形態に係る入力装置の先端部分の拡大縦断面図である。
【図９】ペン先可動部の斜視図である。
【図１０】本発明の実施形態に係る入力装置の筆記ユニットを表示面に接触させた場合を示す模式図である。
【図１１】第一の実施形態に係る入力装置の筆記ユニットを表示面に接触させ、且つ表示面に沿って移動させた場合を示す模式図である。
【図１２】本発明の第二の実施形態に係る入力装置の先端部分の拡大縦断面図である。
【図１３】ペン先可動部の斜視図である。
【図１４】本発明の第三の実施形態に係る入力装置の先端部分を示す図であり、（ａ）は斜視図であり、（ｂ）は分解斜視図である。
【発明を実施するための形態】
【０００７】
本発明に係る入力装置は、ペン本体の軸方向に進退可能に構成されたペン先可動部又はペン尻可動部を、軸方向に対して傾斜した方向にも変位可能に構成した点に特徴がある。この構成により、表示面と直交する方向に対して傾斜した状態にて入力装置が表示面と接触したとしても、ペン先可動部又はペン尻可動部が滑らかに内奥部分に変位して表示面との接触を検知可能としている。
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００８】
〔電子情報ボードシステムの構成〕
図１は、本発明による入力装置の一実施形態が適用される電子情報ボードシステムを示す斜視図である。
図１に示されるように、電子情報ボードシステム１０は、ディスプレイ部２０と、スタンド４０と、機器収納部５０とを有する。ディスプレイ部２０は、液晶パネル又はプラズマパネルなどのフラットパネルからなり、ディスプレイ部２０の筐体前面には画像を表示する表示面２２及びタッチパネル（座標検知手段）２４が形成されている。
さらに、電子情報ボードシステム１０は、専用の入力装置１００の筆記ユニットのペン先を接触させることにより表示面２２に文字や図形などを書き込むことができる。
【０００９】
入力装置１００は、一端のペン先を表示面２２に接触させると、筆記検知信号（接触検知信号）を無線信号として送信する。そして、ディスプレイ部２０は、入力装置１００から送信された筆記検知信号を受信すると、タッチパネル２４により検知された座標位置に書き込まれた文字や図形等を表示する。
また、入力装置１００は、他端のペン尻を表示面２２に接触させると、消去検知信号（接触検知信号）を無線信号として送信する。そして、ディスプレイ部２０は、入力装置１００から送信された消去検知信号を受信すると、タッチパネル２４により検知された座標位置に書き込まれた文字や図形等を表示面２２から消去する。尚、この消去操作による表示処理としては、コントローラ６０（図３、図４参照）において、検知された座標位置を背景と同じ色（例えば、白色）とする表示処理が行われる。
機器収納部５０は、例えば、後述するコントローラ、プリンタ、ビデオディスク装置等の各種機器が収納されている。また、機器収納部５０の上面には、入力操作を行うキーボード３０が搭載されている。
【００１０】
〔入力装置の基本構成〕
図２は、入力装置の一般的な実施形態を示す縦断面図である。
図２に示されるように、入力装置１００は、円筒形状のペン形のペン本体１１０の一端に筆記ユニット１００Ａが設けられ、ペン本体１１０の他端に消去ユニット１００Ｂが設けられている。筆記ユニット１００Ａは、ペン本体１１０の軸方向先端部に形成された先端凹部１１２に、ペン先可動部１２０と、ペン先検知スイッチ１４０とを有する。また、消去ユニット１００Ｂは、ペン本体１１０の軸方向後端部に形成された後端凹部１１４に、ペン尻可動部１３０と、ペン尻検知スイッチ１５０とを有する。
【００１１】
ペン先検知スイッチ１４０、及びペン尻検知スイッチ１５０は、所謂プッシュスイッチからなり、それぞれ軸方向に突出する可動切片１４２、１５２を有する。可動切片１４２、１５２は、ペン先可動部１２０、ペン尻可動部１３０と微小な隙間を介して離間している。そのため、可動切片１４２、１５２は、ペン先可動部１２０、ペン尻可動部１３０が各凹部の内奥部に向けて軸方向に所定距離以上（上記微小隙間以上）移動（変位）したときに押圧され、スイッチのオフからオンに切り替わる可動範囲（軸方向距離）を移動することで検知信号を出力するように構成されている。
ペン先検知スイッチ１４０、及びペン尻検知スイッチ１５０は、一端が先端凹部１１２、後端凹部１１４の奥部に形成された隔壁１１３、１１５に固定されている。また、ペン先検知スイッチ１４０、及びペン尻検知スイッチ１５０には、他端より突出する可動切片１４２、１５２をオフの位置に押圧するバネ部材が内蔵されている。
【００１２】
入力装置１００は、ペン本体１１０の内部空間１１６に送信回路ユニット（送信手段）１８０が収納されている。また、送信回路ユニット１８０は、信号入力部１８２と、信号処理部１８４と、検知信号送信部１８６とを有する。
信号入力部１８２は、ペン先検知スイッチ１４０及びペン尻検知スイッチ１５０からの検知信号が入力される。信号処理部１８４は、信号入力部１８２を介して入力された検知信号を無線信号に変換する。検知信号送信部１８６は、信号処理部１８４で生成された無線信号（赤外線）を送信する。尚、本実施形態では、無線信号として赤外線を用いているが、これに限らず、電波、光、音波などの信号を用いても良い。
【００１３】
〔電子情報ボードシステム〕
図３は、電子情報ボードシステムの主要部を模式的に示す図である。図４は、電子情報ボードの制御系を示すブロック図である。
図３及び図４に示されるように、ディスプレイ部２０は、コントローラ６０により制御されており、入力操作される各種画面操作部２６やユーザＰＣ９０から取り込まれた画像を表示面２２に表示する。
また、コントローラ６０は、ＵＳＢ（Universal Serial Bus）ケーブル７０が接続されるＵＳＢソケット７２、ＶＧＡ（Video Graphics Array）ケーブル８０が接続されるＶＧＡ入力ソケット８２を有する。
【００１４】
ユーザＰＣ（Personal Computer）９０は、ＵＳＢソケット７２及びＶＧＡ入力ソケット８２を介してコントローラ６０と接続される。また、ユーザＰＣ９０は、磁気ディスク装置などからなるストレージ９４を有する。ストレージ９４には、各種コンテンツ及びコンテンツ表示用アプリケーションソフトウエアなどのプログラムが格納されている。そして、操作者は、ストレージ９４に格納されたコンテンツの中から所望のコンテンツを選択することで、モニタ９２に当該コンテンツを表示させる。
そのため、コントローラ６０は、ユーザＰＣ９０のモニタ９２に表示された画像データがＵＳＢケーブル７０及びＶＧＡケーブル８０を介して転送されると、ディスプレイ部２０のユーザＰＣ画面２８にモニタ９２に表示された画像データと同じ画像を表示する。
【００１５】
また、コントローラ６０は、光ファイバなどの通信回線２００及びネットワークソケット２０２を介してインターネット又はＬＡＮ（Local Area Network）等のネットワーク２０４にも接続される。
さらに、図４に示されるように、電子情報ボードシステム１０は、入力装置１００から送信された検知信号を受信するペン信号受信部２１０を有する。このペン信号受信部２１０は、入力装置１００から送信された検知信号を受信すると、当該検知信号をタッチパネル２４に入力する。これにより、タッチパネル２４の制御回路であるタッチパネルドライバ部２５０（図５参照）は、入力装置１００から送信された検知信号により入力装置１００による入力操作が行われていることを認識し、コントローラ６０に検知信号を出力する。
【００１６】
〔電子情報ボードの制御系〕
図５は、電子情報ボードのコントローラの構成を示すブロック図である。
図５に示されるように、電子情報ボードシステム１０のコントローラ６０は、コントローラオペレーションシステム部２２０と、アプリケーション部２３０と、映像入力デバイス部２４０と、タッチパネルドライバ部２５０を有する。また、アプリケーション部２３０は、イベント信号判断部２３１と、映像入力処理部２３２と、画像描画処理部２３４と、画面消去処理部２３６と、画面操作処理部２３８とを有する。
【００１７】
コントローラオペレーションシステム部２２０は、コントローラ６０で行う制御処理を管理、実行するメイン制御部である。
アプリケーション部２３０は、ディスプレイ部２０の表示面２２に表示される画像全体を生成する制御処理、ユーザＰＣ画面２８に表示する制御処理、入力装置１００の筆記検知信号が検知された場合に筆記された図形や文字などを表示する制御処理を行う。
イベント信号判断部２３１は、コントローラオペレーションシステム部２２０から入力されるイベント信号を監視しており、入力されたイベント信号に応じた制御処理を行う。
映像入力処理部２３２は、ユーザＰＣ９０から入力された画像を表示面２２のユーザＰＣ画面２８に表示するための制御処理を行う。
【００１８】
画像描画処理部２３４は、イベント信号判断部２３１を介してタッチパネル２４から入力される座標位置のデータに基づいて手書きのグラフィック（画像）を生成し、既に表示された画像に手書きのグラフィックを重畳してディスプレイ部２０の表示面２２に表示する。
画面消去処理部２３６は、イベント信号判断部２３１を介してタッチパネル２４から入力される座標位置の情報に基づいて現在表示されている画像の背景色でグラフィックを生成し、既に表示された画像に背景色のグラフィックを重畳してディスプレイ部２０の表示面２２に表示する。これにより、ディスプレイ部２０に表示された手書きグラフィックに背景色のグラフィックが重畳されて見かけ上は、表示面２２から消去される。
【００１９】
画面操作処理部２３８は、タッチパネル２４から入力される座標位置の情報（信号）をマウスイベントなどのポインティングディバイス信号に変換し、ディスプレイ部２０の表示面２２に表示される画面操作部２６のオン・オフ操作による処理を行う。また、タッチパネル２４の受発光センサ３００、３１０により検知された入力装置１００が接触した座標位置の情報をマウスダウンイベントとして座標値と共にコントローラオペレーションシステム部２２０に伝送する。また、入力装置１００がタッチパネル２４の表示面２２に接触したまま移動させられた場合、マウスアップイベントとして座標値と共にコントローラオペレーションシステム部２２０に伝送する。
タッチパネルドライバ部２５０は、入力装置１００及びタッチパネル２４から入力された座標位置信号及び筆記検知信号又は消去検知信号を所定のイベント信号に変換してコントローラオペレーションシステム部２２０に伝送する。また、タッチパネルドライバ部２５０は、ペン信号受信部２１０で入力装置１００より筆記検知信号又は消去検知信号が受信されると、座標位置信号と共に筆記検知信号又は消去検知信号をコントローラオペレーションシステム部２２０に伝送する。
【００２０】
〔入力装置の座標検知方法〕
図６は、座標位置を検知するタッチパネルの構成を示す図である。
図６に示されるように、タッチパネル２４は、表示面２２の上側の左右角部に一対の受発光センサ３００、３１０が配置されている。表示面２２の左右側方及び下方には、反射板３２０、３３０、３４０が配置されている。
【００２１】
左上角部に配置された受発光センサ３００は、表示面２２を平行な垂直面に対して赤外線を照射しており、赤外線の照射方向は右側方の反射板３３０及び下方の反射板３４０の全域である。また、右上角部に配置された受発光センサ３１０は、表示面２２を平行な垂直面に対して赤外線を照射しており、赤外線の照射方向は左側方の反射板３２０及び下方の反射板３４０の全域である。
表示面２２に何も接触していない場合、受発光センサ３００、３１０から照射された赤外線は、反射板３２０、３３０、３４０で反射され、その反射光が受発光センサ３００、３１０で受光される。
ここで、入力装置１００のペン先可動部１２０又はペン尻可動部１３０が表示面２２に接触した場合、受発光センサ３００、３１０から照射された赤外線が接触箇所で遮断される。そのため、受発光センサ回路３５０は、受発光センサ３００、３１０からの検知信号に基づいて赤外線を遮断された箇所の水平方向に対する傾斜角度を検知し、三角測量の数式で座標位置を演算し、ＸＹ座標に変換する。そして、受発光センサ回路３５０で得られた座標位置の信号は、コントローラオペレーションシステム部２２０を介して画像描画処理部２３４、画面消去処理部２３６、画面操作処理部２３８に伝送される。
【００２２】
〔入力装置の操作方法〕
図７は、図２に示す入力装置の筆記ユニットを表示面に接触させた場合を示す模式図である。
図７に示されるように、操作者の手Ｈが入力装置１００のペン本体１１０の軸方向の中間部分の外周を把持している場合、入力装置１００のペン先可動部１２０のペン先部材１２２をディスプレイ部２０の表示面２２に接触させ、ペン本体１１０を表示面２２側（図中矢印Ａ方向）に押圧する。これにより、ペン先可動部１２０がペン本体１１０の先端凹部１１２内をＸ２方向に摺動し、ペン先保持部材１２４の押圧部１２４ｂがペン先検知スイッチ１４０の可動切片１４２をオンの位置まで押圧する。そのため、ペン先検知スイッチ１４０は、オンになり筆記検知信号を出力する。そして、この筆記検知信号は、送信回路ユニット１８０により無線信号に変換されて送信される。
このようにペン先検知スイッチ１４０をオンにしたまま、入力装置１００を移動させると、ペン先可動部１２０の接触位置が移動して手書きの文字又は図形などが表示面２２に表示される。
【００２３】
しかし図７に示すように、入力装置１００の表示面２２に対する押圧方向Ａとペン先可動部１２０の移動方向Ｘ２とが一致しない場合、ペン先可動部１２０が滑らかに移動せず、接触が検知されない場合がある。
そこで、以下に説明する本発明の各実施形態においては、入力装置のペン先可動部１２０を入力装置の軸方向に対して傾斜する方向にも移動可能に構成して、接触検知不良を防止している。
【００２４】
〔第一の実施形態〕
本発明の第一の実施形態に係る入力装置のペン先可動部の構成について説明する。図８は、本発明の第一の実施形態に係る入力装置の先端部分の拡大縦断面図である。図９は、ペン先可動部の斜視図である。本実施形態に係る入力装置は、ペン先可動部が本体の軸方向に対して傾斜した方向へ押圧された時に、当該傾斜した方向へ変位するように構成した点に特徴がある。以下、図２に示した入力装置と同一の構成には同一の符号を付してその説明を省略する。
【００２５】
入力装置４００においてペン先可動部４１０は、ペン形のペン本体１１０のペン先１１１に形成された先端凹部１１２内にペン本体の軸方向（Ｘ１−Ｘ２方向）に進退可能に支持されている。さらに、先端凹部１１２及びペン先可動部４１０は、ペン先可動部がペン本体１１０の軸方向に沿って押圧された時にはペン先可動部４１０を軸方向に沿って内奥部１１２ａへ変位させ、且つペン先可動部がペン本体の軸方向に対して傾斜した方向へ押圧された時にはペン先可動部４１０を当該傾斜した方向に沿って内奥部１１２ａへ変位させるように構成されている。
具体的には、ペン先可動部４１０は先端に向けて外径（外周長）が漸減する傾斜外面４１３（被ガイド面）を備えている。また、先端凹部１１２の内壁が傾斜外面４１３と接触する部位には、先端に向けて内径（内周長）が漸減する傾斜内面４１５（ガイド面）が形成されている。傾斜外面４１３と傾斜内面４１５は縦断面形状が直線状である。ペン先可動部４１０の傾斜外面４１３が傾斜内面４１５と摺動することにより、ペン先可動部４１０は軸方向に対して傾斜した方向に進退移動する。ペン先可動部４１０は、傾斜内面４１５と摺動するため、ポリアセタール等の摺動性の高い樹脂から形成することが望ましい。
【００２６】
図９に示すように、ペン先可動部４１０は、傾斜外面４１３を有する先部４１０ａと、柱状の基部４１０ｂとを備えている。図８に示すように、先端側に進出した位置にあるペン先可動部４１０の基部４１０ｂの外周面と、傾斜内面４１５との間には、空間４１７が形成されている。空間４１７は、傾斜内面４１５の内奥部１１２ａ寄りに相当する部位に形成されている。ペン先可動部４１０が軸方向に対して傾斜した方向に沿って内奥部１１２ｂへ変位した場合に、空間４１７がペン先可動部４１０を受け容れることによって、ペン先可動部の変位が許容される。
ペン先可動部４１０とペン先検知スイッチ１４０の可動切片１４２との間には弾性体４２０が配置されており、ペン先可動部４１０の基端面４１０ｃは弾性体４２０と接触している。弾性体４２０は、多孔性のスポンジや板状ゴム等から構成される。
【００２７】
図１０は、本発明の実施形態に係る入力装置の筆記ユニットを表示面に接触させた場合を示す模式図である。ペン本体１１０を表示面２２に対して傾斜させた状態にてペン先可動部４１０を表示面２２に接触させて、ペン本体１１０を表示面２２と直交する方向（図中矢印Ａ方向）に押圧する。ペン先可動部４１０の傾斜外面４１３が、先端凹部１１２の傾斜内面４１５によって案内されることにより、ペン先可動部４１０はペン本体１１０の軸方向に対して傾斜した内奥方向（図中矢印Ｂ方向）へ変位する。
ここで、先端凹部１１２の傾斜内面４１５とペン先可動部４１０の基部４１０ｂの外周面との間には空間４１７が形成されているため、ペン先可動部４１０は、空間４１７内を移動することができる。
図７に示した従来例と異なり本実施形態においては、ペン本体１１０の押圧方向（矢印Ａ方向）と、ペン先可動部４１０の移動方向（矢印Ｂ方向）とが略平行、且つ反対向きとなっている。このため、ペン先可動部４１０が滑らかに内奥部１１２ａに向けて移動する。
【００２８】
弾性体４２０は、ペン先可動部４１０が内奥部１１２ａに向けて変位する際に、ペン先可動部４１０によって強く押圧された部分が大きく圧縮変形しつつ、その押圧力をペン先検知スイッチ１４０に伝達する。このとき、弾性体４２０は、ペン先可動部４１０の基端面４１０ｃの傾斜、及びペン先可動部の傾斜方向への変位による押圧力の偏りを弾性変形により吸収して、ペン先検知スイッチ１４０の可動切片１４２をペン本体１１０の軸方向に押圧する。ペン先検知スイッチ１４０は、弾性体４２０に押圧されてオフからオンに切り替わる。
このように、ペン先可動部４１０とペン先検知スイッチ１４０との間に弾性体４２０を介在させることによって、ペン先検知スイッチ１４０の動作不良を防止する。
【００２９】
以上のように本実施形態においては、ペン先可動部４１０がペン本体１１０の軸方向に対して傾斜した方向へ押圧された時にはペン先可動部を当該傾斜した方向に沿って内奥部１１２ａへ変位させるように先端凹部１１２及びペン先可動部４１０を構成した。即ち、ペン先可動部４１０は先端に向けて外径が漸減する傾斜外面４１３（被ガイド面）を備え、先端凹部１１２の内壁が傾斜外面４１３と接触する部位には、先端に向けて内径が漸減する傾斜内面４１５（ガイド面）を備えた。ペン先可動部４１０の傾斜外面４１３が先端凹部１１２の傾斜内面４１５と摺動することにより、ペン先可動部４１０が軸方向に対して傾斜した方向に進退する。この構成により、入力装置４００が電子情報ボードシステムの表示面２２に対して傾斜した状態にて接触した場合であってもペン先可動部４１０が滑らかに後退する。このため、入力装置４００と表示面２２との接触を動作不良なく検知できる。
ここで、ペン先検知スイッチ１４０は所謂プッシュスイッチであり、ペン本体１１０の軸方向に移動する可動切片１４２を備えている。仮に可動切片１４２が軸方向に対して傾斜した方向に押圧された場合には、可動切片１４２が移動せず、ペン先検知スイッチ１４０がうまく作動しない虞がある。本実施形態によれば、弾性体４２０がペン先可動部４１０の基端面４１０ｃの傾斜、及びペン先可動部の傾斜方向への移動を弾性変形により吸収して、ペン先検知スイッチ１４０をペン本体１１０の軸方向に押圧するので、ペン先検知スイッチの動作不良を防止する。
【００３０】
〔第二の実施形態〕
図１１は、第一の実施形態に係る入力装置の筆記ユニットを表示面に接触させ、且つ表示面に沿って移動させた場合を示す模式図である。入力装置４００を表示面２２に対して傾斜させた状態にて、ペン先可動部４１０を表示面２２に接触させて紙面手前側から奥側に向かって移動させたとする。ペン先可動部４１０の表示面２２との接触位置はペン先可動部４１０の中心軸Ｃからずれているため、ペン先可動部４１０は中心軸Ｃ回りに矢印Ｄ方向に回転する。そのため、ペン先可動部４１０と弾性体４２０との間に摩擦が生じて弾性体４２０が磨耗する虞がある。弾性体４２０の摩耗により生じた粉体が、ペン先検知スイッチ１４０の可動切片１４２周囲の隙間に入った場合には、可動切片１４２が進退せず、ペン先可動部４１０と表示面２２との接触を検知できない虞がある。
そこで、本実施形態に係る入力装置においては、ペン先可動部の軸周り回転を阻止する回転阻止手段を設け、ペン先検知スイッチの動作不良を防止している。
【００３１】
図１２は、本発明の第二の実施形態に係る入力装置の先端部分の拡大縦断面図である。図１３は、ペン先可動部の斜視図である。第一の実施形態と同一の部材には同一の符号を付してその説明を省略する。
入力装置４３０は、ペン先可動部４３１の軸周り回転を阻止する回転阻止手段４３３を備えている。回転阻止手段４３３は、傾斜内面４１５から先端凹部１１２内に突出した回転阻止突起４３５と、ペン先可動部４３１に形成されて回転阻止突起４３５を受け入れる回転阻止凹所４３７とを備えている。図示する回転阻止突起４３５は、先端凹部１１２の内面の周方向の一部にのみ形成されている。また回転阻止凹所４３７はペン先可動部４３１の外周面適所から中心軸Ｃに向かって形成された切欠きである。回転阻止突起４３５及び回転阻止凹所４３７は、ペン先可動部４３１の軸方向及び傾斜方向への移動を許容し、且つその移動範囲内において互いの係合状態を維持しうる形状及び大きさに設定される。
回転阻止突起４３５と回転阻止凹所４３７が係合することにより、ペン先可動部の軸周り回転が阻止される。これによりペン先可動部４３１と他物体（特に本実施形態では弾性体４２０）との接触による摩耗を防止し、ペン先検知スイッチの正常な動作を担保する。
【００３２】
〔第三の実施形態〕
図１４は、本発明の第三の実施形態に係る入力装置の先端部分を示す図であり、（ａ）は斜視図であり、（ｂ）は分解斜視図である。第一及び第二の実施形態と同一の部材には同一の符号を付してその説明を省略する。
入力装置４４０においてペン先可動部４４１は傾斜外面４１３を有した四角錐形状の先部４４１ａと四角柱状の基部４４１ｂとを備えている。ペン先可動部４４１の軸方向と直交する方向における断面形状は矩形状である。
入力装置４４０において先端凹部１１２は、ペン先可動部４４１の傾斜外面４１３に係合する形状の傾斜内面４１５を有する。傾斜内面４１５は傾斜外面４１３に対して並行である。また、先端凹部１１２の軸方向と直交する方向における断面形状（開口形状）は矩形状である。
このように中心軸Ｃからの距離が周方向位置に応じて変化するような外面形状を有するペン先可動部４４１と、ペン先可動部と係合する内面形状を有する先端凹部１１２とを組み合わせることによって、第二の実施形態と同様にペン先可動部の軸周り回転が阻止される。これにより弾性体の摩耗を防止し、ペン先検知スイッチの正常な動作を担保することができる。
第三の実施形態においては、ペン先可動部及び先端凹部の軸方向と直交する方向における断面形状は矩形状以外にも、その他の多角形状、星形形状、又は楕円形状等としてもよい。
【００３３】
〔実施態様例とその効果〕
以上、本発明を入力装置１００の筆記ユニット１００Ａを構成するペン先可動部に適用した例により説明した。本発明は入力装置１００の消去ユニット１００Ｂを構成するペン尻可動部１３０に適用することができる。
【００３４】
また、本発明は、夫々以下の態様にて実施可能である。
＜第一の実施態様＞
本態様は、入力装置の軸方向端部（軸方向先端部、軸方向後端部）に形成された凹部（先端凹部１１２、後端凹部１１４）に入力装置の軸方向に進退可能に支持された可動部（ペン先可動部、ペン尻可動部）と、可動部を押圧して内奥部１１２ａに変位させた時に当該接触位置の接触検知信号（筆記検知信号、消去検知信号）を送信する送信手段（送信回路ユニット１８０）と、を有する入力装置１００であって、可動部が軸方向に沿って押圧された時には可動部を軸方向に沿って内奥部へ変位させ、軸方向に対して傾斜した方向へ押圧された時には可動部を当該傾斜した方向に沿って内奥部へ変位させるように構成されていることを特徴とする。
本態様によれば、可動部が軸方向に対して傾斜した方向へ押圧された時には可動部を当該傾斜した方向に沿って内奥部へ変位させるように凹部及び可動部が構成されているので、入力装置を表示面に対して傾斜させた状態にて画像等を描画した場合であっても、表示面との接触を検知可能となる。
【００３５】
＜第二の実施態様＞
本態様において可動部（ペン先可動部、ペン尻可動部）は先端に向けて外周長が漸減する被ガイド面（傾斜外面４１３）を備え、凹部（先端凹部１１２、後端凹部１１４）の内壁が被ガイド面に接する部位には、先端に向けて内周長が漸減するガイド面（傾斜内面４１５）が形成されていることを特徴とする。
可動部の被ガイド面が、凹部内の被ガイド面と摺動することによって、可動部は本体の軸方向に対して傾斜した方向にガイドされる。入力装置を表示面に対して傾斜させた状態にて画像等を描画した場合であっても、可動部が内奥部に向けて滑らかに変位することができ、表示面との接触を検知可能となる。
【００３６】
＜第三の実施態様＞
本態様は、可動部（ペン先可動部、ペン尻可動部）が内奥部に変位したときに押圧される検知スイッチ（ペン先検知スイッチ１４０、ペン尻検知スイッチ１５０）と、可動部と検知スイッチとの間に配置された弾性体４２０と、を備えたことを特徴とする。
本実施態様によれば、弾性体が可動部の傾斜及び傾斜方向への移動を弾性変形により吸収して、検知スイッチをペン本体の軸方向に押圧するので、検知スイッチの動作不良を防止できる。
【００３７】
＜第四の実施態様＞
本態様において可動部（ペン先可動部、ペン尻可動部）は、被ガイド面（傾斜外面４１３）を有する先部４１０ａと、柱状の基部４１０ｂとを備え、凹部（先端凹部１１２、後端凹部１１４）から進出した位置にある可動部の基部の外周面とガイド面（傾斜内面４１５）との間には、傾斜した方向に沿って内奥部１１２ａへ変位した可動部を受け容れる空間４１７が形成されていることを特徴とする。
本実施態様においては、基部の外周面とガイド面との間、即ちガイド面の内奥部寄りに相当する部位に空間を形成した。可動部が軸方向に対して傾斜した方向、且つ内奥部側に変位した場合に、この空間が可動部を受け入れることによって、可動部の変位が許容される。
【００３８】
＜第五の実施態様＞
本態様は、可動部（ペン先可動部、ペン尻可動部）の軸周り回転を阻止する回転阻止手段４３３を備えたことを特徴とする。
可動部の軸周り回転を阻止することにより、可動部と他物体との接触による摩耗を防止し、検知スイッチの正常な動作を担保することができる。
【００３９】
＜第六の実施態様＞
本態様において可動部（ペン先可動部、ペン尻可動部）は角錐形状であり、凹部（先端凹部１１２、後端凹部１１４）は可動部の外面形状に係合する形状を有することを特徴とする。
可動部の軸周り回転を阻止することにより、可動部と他物体との接触による摩耗を防止し、検知スイッチの正常な動作を担保することができる。
【００４０】
＜第七の実施態様＞
本態様は、実施態様１乃至６の何れかに記載の入力装置と、入力装置が接触する表示面２２を有するディスプレイ部２０と、入力装置が表示面に接触したときの座標を検知する座標検知手段（タッチパネル２４）と、座標検知手段により検知された座標位置に入力装置の接触に基づく画像をディスプレイ部に表示させるコントローラ６０と、を備えた電子情報ボードシステムを特徴とする。
本態様は、第一乃至第六の実施態様に係る効果を享受できる。
【符号の説明】
【００４１】
１０…電子情報ボードシステム、２０…ディスプレイ部、２２…表示面、１００…入力装置、１００Ａ…筆記ユニット、１００Ｂ…消去ユニット、１１０…ペン本体、１１１…ペン先、１１２…先端凹部、１１２ａ…内奥部、１１３…隔壁、１１４…後端凹部、１１６…内部空間、１２０…ペン先可動部、１２２…ペン先部材、１２４…ペン先保持部材、１２４ｂ…押圧部、１３０…ペン尻可動部、１４０…ペン先検知スイッチ、１４２…可動切片、１５０…ペン尻検知スイッチ、１８０…送信回路ユニット、１８２…信号入力部、１８４…信号処理部、１８６…検知信号送信部、４００…入力装置、４１０…ペン先可動部、４１０ａ…先部、４１０ｂ…基部、４１０ｃ…基端面、４１１…ガイド手段、４１３…傾斜外面、４１５…傾斜内面、４１７…空間、４２０…弾性体、４３０…入力装置、４３１…ペン先可動部、４３３…回転阻止手段、４３５…回転阻止突起、４３７…回転阻止凹所、４４０…入力装置、４４１…ペン先可動部、４４１ａ…先部、４４１ｂ…基部
【先行技術文献】
【特許文献】
【００４２】
【特許文献１】特開２０１４−１４９７６０公報
【図１】
0006524639.tif 000002
【図２】
0006524639.tif 000003
【図３】
0006524639.tif 000004
【図４】
0006524639.tif 000005
【図５】
0006524639.tif 000006
【図６】
0006524639.tif 000007
【図７】
0006524639.tif 000008
【図８】
0006524639.tif 000009
【図９】
0006524639.tif 000010
【図１０】
0006524639.tif 000011
【図１１】
0006524639.tif 000012
【図１２】
0006524639.tif 000013
【図１３】
0006524639.tif 000014
【図１４】
0006524639.tif 000015